(57)【要約】      （修正有）【課題】フロントヘッドで座席の後面を押したとき、座席の回動を容易に行うことができ、且つ駐車面積を小さくするショッピングカートを提供する。【解決手段】本体Ａと、本体Ａの幅よりも狭いフロントヘッド２と、座席４とを有するショッピングカートであって、座席４は背もたれ部４ａと座面部４ｂとからなり、背もたれ部４ａの後方は開放され、上端部は本体Ａに回動可能に枢支され、同型の他のショッピングカートを後方から侵入させた時に、他のショッピングカートのフロントヘッド２により少なくとも背もたれ部４ａを上方に回動させることにより、これら２台のショッピングカートをネスティング状態にするように構成されている。【選択図】図２
0003203591.tif 000002
【実用新案登録請求の範囲】
【請求項１】
本体と、該本体の幅よりも狭いフロントヘッドと、座席とを有するショッピングカートであって、
前記座席は背もたれ部と座面部とからなり、前記背もたれ部の後方は開放され、前記背もたれ部の上端部は前記本体に回動可能に枢支され、同型の他の前記ショッピングカートを後方から侵入させることで、他の前記ショッピングカートの前記フロントヘッドにより少なくとも前記背もたれ部を上方に回動させることにより、これら２台の前記ショッピングカートをネスティング状態にすることを特徴とするショッピングカート。
【請求項２】
請求項１記載のショッピングカートであって、前記背もたれ部と前記座面部は互いに回動可能に設けられ、２台の前記ショッピングカートをネスティング状態にする際には、前記座面部は、前記フロントヘッドによる前記背もたれ部の上方への回動に伴って、前記背もたれ部に対して回動しながら上方に移動することを特徴とするショッピングカート。
【請求項３】
請求項１または２記載のショッピングカートであって、前記フロントヘッドの裏面には、座った子供が操作できるダミーのハンドルを有することを特徴とするショッピングカート。
【請求項４】
請求項１または２記載のショッピングカートであって、前記本体には、前記座席の両側において側板が設けられ、該側板の後方のコーナー部において車輪が取り付けられ、且つ、該車輪には、足で操作するストッパーが設けられたことを特徴とするショッピングカート。
【考案の詳細な説明】
【技術分野】
【０００１】
本考案は、スーパーマーケット等で使用されるショッピングカートに関し、特に、子供を乗せることができ、且つ複数台ネスティングしたときの駐車面積を小さくすることができるショッピングカートに関するものである。
【背景技術】
【０００２】
大型のスーパーマーケット等では、子供を乗せて買い物ができるようなショッピングカートが用いられている。このショッピングカートは、複数台をネスティングしたとき、後方にあるショッピングカートが前方にあるショッピングカートの後部に侵入して収容されるように構成されるのが一般的である。
【０００３】
例えば、特許文献１に記載されたショッピングカートは、ショッピングカート本体の前部に配置され使用者が着座可能な座席と着座した使用者の脚部を保護するフロントガードを有する座席部と、買物籠載置部と、を備えている。座席はショッピングカート本体に回動可能に支持されており、この回動を円滑に行うために、座席の背面には回動を誘導し得る形状を備えた凹部が形成されている。そして、回動によって前倒した座席の後部に、他のショッピングカートのフロントガードを挿入可能な空間を形成し得るように構成されている。
【０００４】
上記座席は、他のショッピングカートのフロントガードに後ろから押されて前倒し得るように構成されている。そして前倒した座席は、他のショッピングカートのフロントガードに支持されてその状態を維持し、この他のショッピングカートを引き抜いた際に、元の位置に復帰することが可能である。
【０００５】
上記ショッピングカートでは、座席に着座する人の占有する面積を広く取ることができるため、快適に着座することができる。また、前倒した座席の後部あるいは前方に移動した座席の後部に、他のショッピングカートのフロントガードを挿入可能な空間が形成される。このため、ショッピングカートの後部から他のショッピングカートのフロントガードを挿入した状態でショッピングカートを駐車させておくことができ、ショッピングカートの駐車スペースを小さくすることができる。
【先行技術文献】
【特許文献】
【０００６】
【特許文献１】特開２００１−１９９３４４号公報
【考案の概要】
【考案が解決しようとする課題】
【０００７】
特許文献１に記載されたショッピングカートでは、他のショッピングカートのフロントヘッドによって座席を押すことで、座席は座面の前端部を支点として回動することで前倒しされる。このため、座席の後面とフロントヘッドの前面とには互いに接触して滑りながら円滑に座席を回動させるように対となる形状を持った部位が形成されることが必要であり、座席及びフロントヘッドの形状の選択肢が少なくなる虞がある。
【０００８】
本考案の目的は、フロントヘッドで座席の後面を押したとき、座席の回動を容易に行うことができ、且つ駐車面積を小さくすることができるショッピングカートを提供することにある。
【課題を解決するための手段】
【０００９】
上記課題を解決するために本考案に係るショッピングカートは、本体と、該本体の幅よりも狭いフロントヘッドと、座席とを有するショッピングカートであって、前記座席は背もたれ部と座面部とからなり、前記背もたれ部の後方は開放され、前記背もたれ部の上端部は前記本体に回動可能に枢支され、同型の他の前記ショッピングカートを後方から侵入させることで、他の前記ショッピングカートの前記フロントヘッドにより少なくとも前記背もたれ部を上方に回動させることにより、これら２台の前記ショッピングカートをネスティング状態にするように構成したものである。
【００１０】
また、請求項１記載のショッピングカートであって、前記背もたれ部と前記座面部は互いに回動可能に設けられ、２台の前記ショッピングカートをネスティング状態にする際には、前記座面部は、前記フロントヘッドによる前記背もたれ部の上方への回動に伴って、前記背もたれ部に対して回動しながら上方に移動する構成とすることが好ましい。
【００１１】
また、上記ショッピングカートにおいて、前記フロントヘッドの裏面には、座った子供が操作できるダミーのハンドルを有することが好ましい。
【００１２】
また、上記ショッピングカートにおいて、前記本体には、前記座席の両側に側板を設けけ、該側板の後方のコーナー部に車輪を取り付け、且つ、該車輪には、足で操作するストッパーを設けたことが好ましい。
【考案の効果】
【００１３】
本考案に係るショッピングカートでは、少なくとも背もたれ部の上端部が本体に回動可能に枢支されているため、他のショッピングカートを後方から侵入させたとき、フロントヘッドが背もたれ部に当接して容易に回動させることができる。
【００１４】
背もたれ部と座面部が同時に上方に回動することで、背もたれ部と座面部との間に隙間が生じることがなく手や指を挟む虞がない。また、座面部が背もたれ部に対して回動することで、背もたれ部の下に大きな空間を形成することができ、ネスティングの際、後方側のショッピングカートを大きく侵入させることができるので、省スペースを実現できる。
【００１５】
フロントヘッドの裏面にダミーのハンドルを有することで、座席に座った子供の遊技性を向上することができる。
【００１６】
座席の両側に側板を設け、該側板の後方のコーナー部に車輪を取り付けると共に、該車輪にストッパーを設けたことで安全性の向上をはかることができる。
【図面の簡単な説明】
【００１７】
【図１】第１実施例に係るショッピングカートを説明する斜視図である。
【図２】第１実施例に係るショッピングカートを説明する側面図である。
【図３】第１実施例に係るショッピングカートを説明する平面図である。
【図４】第２実施例に係るショッピングカートを説明する側面図である。
【図５】第２実施例に係るショッピングカートを説明する平面図である。
【考案を実施するための形態】
【００１８】
先ず、本考案の第１実施例に係るショッピングカートについて図１〜図３により説明する。
【００１９】
図に示すように、本体Ａの前方（図２、図３の左側、以下同じ）にフロントヘッド２が配置されており、略中央に座席４が配置されている。
【００２０】
本体Ａは、本体フレーム１とハンドル部３によって構成されている。
【００２１】
本体フレーム１は、図３に示すように、前方が狭く後方（図２、図３の右側、以下同じ）が広い略Ｕ字状に形成され、その後方側端部１ａにおいて、該後方側端部１ａ間の距離が曲線状に形成された前方側端部１ｂよりも充分に大きくなるように設定されている。このため、本体フレーム１は、前方側端部１ｂから後方側端部１ａに向けて幅が広くなる開放した形状を有している。この後方側端部１ａは、図示しないショッピングバスケットの長手方向の寸法よりも大きい寸法を有している。
【００２２】
本体フレーム１が上記形状を有するため、該本体フレーム１の後方側端部１ａの間に、後続する他のショッピングカートが侵入したとき、該ショッピングカートの前方側端部１ｂを容易に受け入れることが可能である。
【００２３】
後方側端部１ａの両側には夫々側板５が配置されている。この側板５は座席４の後方であって、ハンドル部３の下方に形成された空間６の両側を閉鎖するものであり、該空間６に対して側方向から子供が入り込むことを防ぐものである。また、側板５の上面はショッピングバスケットの載置部５ａとしての機能を有している。
【００２４】
本体フレーム１の下面には前方側に１箇所又は２箇所と後方側の２箇所に夫々フリーキャスター１ｃが取り付けられており、買い物中の移動と、移動している間の方向変換を容易に行えるように構成されている。特に、本体フレーム１の後方側端部１ａに取り付けたフリーキャスター１ｃには、足踏み操作することが可能なストッパー７が設けられている。
【００２５】
また、本体フレーム１の上面であって座席４よりも前方側には踏み板１ｄが取り付けられており、座席４に対する子供の乗降を容易に行うと共に、座席４に座った子供の足を安定しておけるように構成されている。
【００２６】
フロントヘッド２は、前方側にあるショッピングカートの座席４の背もたれ部４ａを回動させるものであり、且つ座席４に座った子供に対する遊技性を保持するものである。このため、フロントヘッド２は本体フレーム１に取り付けた踏み板１ｄの前方側に起立したＵ字状のフレーム２ａを有しており、このフレーム２ａが背もたれ部４ａに対する回動機能及び子供に対する遊技機能を有している。
【００２７】
フロントヘッド２を構成するフレーム２ａの上端部分は曲線状に形成されており、該曲線部分が当接部２ａ１として構成されている。この当接部２ａ１は、ショッピングカートを連続させて駐車する際に前方側のショッピングカートの背もたれ部４ａの後面と当接して前方への力を伝えるものである。このため、フレーム２ａの高さ（当接部２ａ１の高さ方向の位置）は、座席４の背もたれ４ａの高さとの関係で適宜設定されている。また、当接部２ａ１は、摩擦係数の小さい材料によって表面を被覆しておくことが好ましい。
【００２８】
従って、ショッピングカートを駐車させる際に、前方側にあるショッピングカートの本体フレーム１の後方側端部１ａの間に侵入させたとき、フレーム２ａの当接部２ａ１が前方側のショッピングカートの座席４の背もたれ部４ａの後面に当接する。そして、ショッピングカートの更なる侵入に伴って、背もたれ部４ａを回動中心として回動させることが可能である。このように複数台をネスティング(連結駐車)する際、容積を減少させて収納スペースを小さくすることができる。
【００２９】
フレーム２ａの後方側には、座席４に座った子供が触って遊ぶためのダミーハンドル２ｂが取り付けられている。また、フレーム２ａの前方側にはマスコット２ｃが設けられている。このマスコット２ｃとして何を用いるかは限定するものではない。
【００３０】
特に、フロントヘッド２の前方側の面の形状と、後方側の面の形状は互いに嵌め合うことが可能なように凹凸状に形成されている。しかし、フロントヘッド２の前後面の形状が完全に嵌合し得るような凹凸状に形成されている必要はなく、略嵌合し得る程度の凹凸状であれば良い。
【００３１】
ハンドル部３は、ショッピングカートを使用する者が把持して運転、操作するものである。このため、ハンドル部３は本体フレーム１の中央よりも後方側端部１ａ側に配置されたコ字状のフレーム３ａを有している。フレーム３ａは、本体フレーム１から起立した一対の柱部３ａ１を有しており、該柱部３ａ１の上端部分が後方側に向けて斜め上方に傾斜した傾斜部３ａ２が形成され、更に傾斜部３ａ２を互いに接続する接続部３ａ３を有している。そして、傾斜部３ａ２から接続部３ａ３にかけて使用者が把持するための把手３ｂが形成されている。
【００３２】
フレーム３ａを構成する一対の柱部３ａ１の上部には、これらの柱部３ａ１を連結して梁８が掛け渡されており、この梁８に座席４の背もたれ部４ａが図３の矢印ａ、ｂ方向に回動し得るように枢支されている。
【００３３】
座席４は子供が座るためのものであり、梁８に枢支された背もたれ部４ａと、本体フレーム１の上面に固定されている座面部４ｂとを有している。また、座面部４ｂの左右両側には夫々側板９が設けられている。この側板９は後方側の端部が前述した側板５の前方側の端部に連続しており、上端は背もたれ部４ａの下端部４ａ２の側方に達している。また、側板９の上面は座面４ｂに座った子供の肘掛けとなるように形成されている。更に、側板９には内側に屈折した支持片９ａが形成されており、この支持片９ａに座席４の背もたれ部４ａの後面が当接して当接位置を保持し得るように構成されている。
【００３４】
背もたれ部４ａは、子供が座ったときに身体を覆って保護し得るように平面視の形状が曲面状に形成されており、上端部分には梁８に枢支された枢支部４ａ１が後方側に突出して形成され、長さが下端部４ａ２において座面４ｂと略接触し得るように形成されている。また、背もたれ部４ａの後面はハンドル部３の下方に露出しており、この背もたれ部４ａとハンドル部３とによって空間６が規定されている。
【００３５】
このため、後方側に他のショッピングカートを収容していない状態では、背もたれ部４ａは後面が側板９の支持片９ａと当接すると共に下端部４ａ２が座面４ｂと略接触している。また、後方側にある他のショッピングカートを収容したネスティング状態では、このショッピングカートのフロントヘッド２に押された背もたれ部４ａが矢印ａ方向に回動し、この回動位置を保持する。
【００３６】
座面部４ｂは前方側の端部に脚４ｂ１を有しており、この脚４ｂ１が本体フレーム１に固定されている。また座面部４ｂの両側は側板９にも接続されている。このため、座面部４ｂに座った子供の重量は脚４ｂ１と側板９によって支持することが可能である。
【００３７】
上記の如く構成されたショッピングカートでは、後方側にある他のショッピングカートが、フロントヘッド２を先頭にして本体Ａの後方側端部１ａとハンドル部３の下方に形成された空間６に侵入すると、フロントヘッド２の当接部２ａ１が座席４の背もたれ部４ａの後面に当接する。他のショッピングカートの更なる侵入に伴って、背もたれ部４ａは梁８を中心として矢印ａ方向に回動する。
【００３８】
前後に連続したショッピングカートは、後方側のショッピングカートのフロントヘッド２が前方側のショッピングカートの座面４ｂの後方側の端部に当接して前進限に到達する。従って、ショッピングカートを前後に複数台連続させたときに要する駐車面積を減少させることが可能である。
【００３９】
次に第２実施例に係るショッピングカートの構成について図４、図５により説明する。尚、本実施例に於いて、前述の第１実施例と同一の部分又は同一の機能を有する部分には同一の符号を付して説明を省略する。また、本実施例に係るショッピングカートと、前述の第１実施例に係るショッピングカートは座席４の構成のみが異なる。このため、座席４の構成について説明する。
【００４０】
本実施例に係るショッピングカートの座席４は、背もたれ部と座面部が別体に構成された第１実施例と異なり、背もたれ部４ａと座面部４ｂが一体的に構成されている。このため、座席４は、背もたれ部４ａと座面部４ｂが一体的には梁８を中心として回動することが可能である。
【００４１】
座席４を構成する背もたれ部４ａと座面部４ｂは、回動軸４ｃにより互いに回動自在に連結されている。また、座席４の両側には前述の第１実施例に於ける側板９と同様の側板１１が設けられており、該側板１１の互いに対向する面に回動軸４ｃの端部４ｃ１を案内するガイド溝１１ａと座面部４ｂを位置決めする支持突起１１ｂが形成されている。
【００４２】
従って、ネスティングを行う際、すなわちショッピングカートに後続させて他のショッピングカートを駐車させる際、後方側のショッピングカートのフロントヘッド２を前方側のショッピングカートの空間６に侵入させると、当接部２ａ１が座席４の背もたれ部４ａの後面に当接する。そして、座席４はハンドル部３のフレーム３ａに掛け渡された梁８を中心として矢印ａ方向に跳ねあげられる。また、同時に、座面４ｂも背もたれ部４ａに対して自重で回動軸４ｃを中心に回動する。
【００４３】
背もたれ部４ａが後方側のショッピングカートのフロントヘッド２に押されて上方に回動すると、座面部４ｂは自重で回動支点４ｃを支点にして反対方向に回動することになる。すなわち、座面部４ｂは背もたれ部４ａに対して、使用時とは反対側に屈曲することになり、この部分に後方側のショッピングカートのフロントヘッド２を収納するのに十分な空間１０を形成することができる。また、ダミーハンドル２ｂは屈曲した座面部４ｂによってガードされるため、後方から侵入する他のショッピングカートの先端による破損を防ぐことができる。このため、ショッピングカートを前後に複数台連続させたときに要する駐車容積を減少させることが可能である。
【００４４】
反対に、ネスティング状態から最後部の１台を引き抜いたときには、その前方のショッピングカートにおいて、跳ね上げられているショッピングカートの座席４の背もたれ部４ａは自重で矢印ｂ方向に回動し、回動軸４ｃの突起４ｃ１が側板１１に設けたガイド溝１１ａに沿って移動しガイド溝１１aの下端に当接する。同時に、座面部４ｂの下端は側板１１の支持突起１１ｂに当接し、この案内によって背もたれ部４ａに対して回動し、座席４の座面部４ｂは前後で位置決めされる。そして、使用者は、この状態を保持したショッピングカートの座席４に子供を座らせた状態で買い物をすることが可能である。
【００４５】
なお、座席４は梁８を回動軸として回動自在に構成したが、梁のような回動軸を用いず、背もたれ部４ａの両側に回動突起を設けるなどの構成としてもよいことはもちろんである。また、背もたれ部４ａと座面部４ｂと回動構造も同様に多様な構成を選択できる。
【産業上の利用可能性】
【００４６】
本考案に係るショッピングカートは、座席に子供を座らせて買い物をする際に利用して有利であり、且つ複数台のショッピングカートを連続させて駐車する際に駐車に要する面積を削減することが可能となり有利である。
【符号の説明】
【００４７】
Ａ      本体
１            本体フレーム
１ａ          後方側端部
１ｂ          前方側端部
１ｃ          フリーキャスター
１ｄ          踏み板
２            フロントヘッド
２ａ          フレーム
２ａ１        当接部
２ｂ          ダミーハンドル
２ｃ          マスコット
３            ハンドル部
３ａ          フレーム
３ａ１        柱部
３ａ２        傾斜部
３ａ３        接続部
３ｂ          把手
４            座席
４ａ          背もたれ部
４ａ１        枢支部
４ａ２        下端部
４ｂ          座面部
４ｂ１        脚
４ｃ      回動軸
４ｃ１     回動軸端部
５            側板
５ａ          載置部
６            空間
７            ストッパー
８            梁
９            側板
９ａ          支持片
１０          空間
１１          当接片
１１ａ     ガイド溝
１１ｂ     支持突起
【図１】
0003203591.tif 000003
【図２】
0003203591.tif 000004
【図３】
0003203591.tif 000005
【図４】
0003203591.tif 000006
【図５】
0003203591.tif 000007